(57)【要約】【課題】  イメージセンサを用いた記録紙位置検出において、記録紙の浮き上がりによりセンサと記録紙との検知距離が変動し、誤検知してしまうという問題が発生する。【解決手段】  記録紙の先端を静電気を利用して搬送ガイド板に吸着させることによりイメージセンサの位置検出精度が向上でき、かつ静電気発生手段の取り付けスペースを特に設けることがなく、機械サイズを大きくする必要がない画像形成装置を提供できる。【選択図】        図１
2007015830.tif 000002
【特許請求の範囲】
【請求項１】
記録紙を１対の搬送ガイドで案内して搬送し、前記搬送ガイドによって案内されている記録紙を検出する記録紙位置検出用センサを備えた画像形成装置において、
前記１対の搬送ガイドの一方の搬送ガイドに向けて搬送されている記録紙をクーロン力によって前記搬送ガイドの一方に吸着させるための吸着手段を有することを特徴とする画像形成装置。
【請求項２】
前記記録紙位置検出用センサはラインセンサにより構成されていることを特徴とする請求項１に記載の画像形成装置。
【請求項３】
前記吸着手段より上流側に、記録紙へ静電気を帯電させるための第１の電荷印加手段を設け、
前記記録紙位置検出用センサに対向する位置に設けられた一方の搬送ガイド板を吸着ガイド板とし、前記吸着ガイド板に前記第１の電荷印加手段により付与する電荷の極性とは逆極性の電圧を印加する第２の電荷印加手段を設けたことを特徴とする請求項１又は２に記載の画像形成装置。
【請求項４】
前記第２の電荷印加手段の下流側に、前記第２の電荷印加手段に印加する電圧の極性とは逆極性の電圧を印加する除電手段を設けたことを特徴とする請求項１乃至３の何れか１項に記載の画像形成装置。
【請求項５】
前記第１の電荷印加手段と前記第２の電荷印加手段間にガイド板金を設け、前記ガイド板金の単位当たり抵抗値は本体板金の単位当たり抵抗値より高いことを特徴とする請求項１乃至４の何れか１項に記載の画像形成装置。
【発明の詳細な説明】
【技術分野】
【０００１】
本発明は複写機、プリンタ、ファクシミリ装置、それらの機能を複数有する複合機などの画像形成装置に関する。
【背景技術】
【０００２】
従来の画像形成装置では、画像を形成する記録紙と感光ドラム等の画像形成部で形成される画像との位置合わせを行うために、記録紙送りタイミングを決めるためのレジストローラと、記録紙送り方向の記録紙の先端を検出するための記録紙先端検出センサにより搬送路を搬送されてきた記録紙の先端検出を行い、レーザーに対する画像データの転送タイミングを画像制御ブロックとの間で調節する構成をとっている。
【０００３】
ところで、近年画像形成装置の画像形成速度が速くなるに伴い記録紙の搬送速度が速くなり、記録紙位置検出用センサを従来型の機械式スイッチを使った記録紙位置検出用センサから、読み取り範囲を可変できる機能を有するＣＣＤやＣＩＳ等のイメージセンサを記録紙位置検出用センサとして用いるようになってきた。
【０００４】
しかしこれらの記録紙位置検出用センサでは被写体を確実に検出するための検出可能な範囲（以下被写界深度ともいう）が一般的に狭いために、記録紙位置検出用センサと搬送される記録紙との間隔を厳密に寸法管理する必要がある。
【０００５】
ところが、記録紙の浮き上がりによりセンサと記録紙との検知距離が変動し、誤検知してしまうという問題が発生する。
【０００６】
上記問題を解決するために特許文献１には、記録紙位置検出用センサを吸気用ダクトで覆い、この吸気用ダクト側からエアを吹き込んで搬送ガイドの開口部を通してエアを搬送されてきた記録紙に吹き付けて搬送ガイドに押しつけることにより記録紙位置検出用センサと検出される記録紙の位置を一定とする技術が記載されている。
【特許文献１】特開２００３−２２６４４６号公報
【発明の開示】
【発明が解決しようとする課題】
【０００７】
しかし、上記特許文献１に記載されている画像形成装置においては、エア吸着やエアを吹きつけるためにファンやダクトの取り付けスペースが必要となるため、機械サイズが大きくなるという問題点がある。
【０００８】
本発明は、上記問題点に鑑みてなされものであり、コストをアップさせることなく記録紙位置検出用センサの検出精度を向上させることを目的とする。
【課題を解決するための手段】
【０００９】
上記課題は下記構成によって解決できる。
（請求項１）
記録紙を１対の搬送ガイドで案内して搬送し、前記搬送ガイドによって案内されている記録紙を検出する記録紙位置検出用センサを備えた画像形成装置において、
前記１対の搬送ガイドの一方の搬送ガイドに向けて搬送されている記録紙をクーロン力によって前記搬送ガイドの一方に吸着させるための吸着手段を有することを特徴とする画像形成装置。
（請求項２）
前記記録紙位置検出用センサはラインセンサにより構成されていることを特徴とする請求項１に記載の画像形成装置。
（請求項３）
前記吸着手段より上流側に、記録紙へ静電気を帯電させるための第１の電荷印加手段を設け、
前記記録紙位置検出用センサに対向する位置に設けられた一方の搬送ガイド板を吸着ガイド板とし、前記吸着ガイド板に前記第１の電荷印加手段により付与する電荷の極性とは逆極性の電圧を印加する第２の電荷印加手段を設けたことを特徴とする請求項１又は２に記載の画像形成装置。
（請求項４）
前記第２の電荷印加手段の下流側に、前記第２の電荷印加手段に印加する電圧の極性とは逆極性の電圧を印加する除電手段を設けたことを特徴とする請求項１乃至３の何れか１項に記載の画像形成装置。
（請求項５）
前記第１の電荷印加手段と前記第２の電荷印加手段間にガイド板金を設け、前記ガイド板金の単位当たり抵抗値は本体板金の単位当たり抵抗値より高いことを特徴とする請求項１乃至４の何れか１項に記載の画像形成装置。
【発明の効果】
【００１０】
本発明によれば記録紙位置検出用センサを用いて記録紙の片寄りや先端の位置を検出する構成において、記録紙をクーロン力を利用して搬送ガイド板に吸着させることにより記録紙位置検出用センサの位置の検出精度を向上することができ、かつ電荷印加手段の取り付けスペースを特に設けることがなく、機械サイズを大きくする必要がない画像形成装置を提供できる。
【発明を実施するための最良の形態】
【００１１】
本発明に適用される電子写真画像形成装置の実施の形態について、図１の概略構成図により説明する。
【００１２】
図１に示す電子写真画像形成装置１は、デジタル方式による画像形成装置であって、画像読取り部Ａ、画像処理部Ｂ、画像形成部Ｃ、記録紙搬送部Ｄから構成されている。
【００１３】
画像読取り部Ａの上部には原稿を自動搬送する自動原稿送り装置が設けられていて、原稿載置台１１上に載置された原稿は原稿搬送ローラ１２によって１枚宛分離搬送され読み取り位置１３ａにて画像の読み取りが行われる。原稿読み取りが終了した原稿は原稿搬送ローラ１２によって原稿排紙皿１４上に排出される。
【００１４】
一方、プラテンガラス１３上に置かれた場合の原稿の画像は走査光学系を構成する照明ランプ及び第１ミラーから成る第１ミラーユニット１５の速度ｖによる読み取り動作と、Ｖ字状に位置した第２ミラー及び第３ミラーから成る第２ミラーユニット１６の同方向への速度ｖ／２による移動によって読み取られる。
【００１５】
読み取られた画像は、投影レンズ１７を通して撮像素子ＣＣＤの受光面に結像される。撮像素子ＣＣＤ上に結像された光学像は順次電気信号（輝度信号）に光電変換されたのちＡ／Ｄ変換を行い、画像処理部Ｂにおいて濃度変換、フィルタ処理などの処理が施された後、画像データは一旦メモリに記憶される。
【００１６】
画像形成部Ｃでは、画像形成ユニットとして、像担持体であるドラム状の感光体２１と、その外周に、帯電器２２、現像手段である現像装置２３、転写器２４、分離器２５、クリーニング手段２６及び光除電手段としてのプレチャージランプ（ＰＣＬ）２７が各々動作順に配置されている。感光体２１は、光導電性化合物をドラム基体上に塗布形成したもので、例えば有機感光体（ＯＰＣ）が好ましく使用され、図示の時計方向に駆動回転される。
【００１７】
回転する感光体２１へは帯電器２２による一様帯電がなされた後、露光光学系３０により画像処理部Ｂのメモリから呼び出された画像信号に基づいた像露光が行われる。書き込み手段である露光光学系３０は図示しないレーザーダイオードを発光光源とし、回転するポリゴンミラー３１、ｆθレンズ３４、シリンドリカルレンズ３５を経て反射ミラー３２により光路が曲げられ主走査がなされるもので、感光体２１に対してＡｏの位置において像露光が行われ、感光体２１の副走査方向の回転によって潜像が形成される。本実施の形態の一例では文字部に対して露光を行い潜像を形成する。
【００１８】
感光体２１上の潜像は現像装置２３によって反転現像が行われ、感光体２１の表面に可視像のトナー像が形成される。記録紙搬送部Ｄでは、画像形成ユニットの下方に異なるサイズの記録紙Ｐが収納された記録紙収納手段としての給紙ユニット４１（Ａ）、４１（Ｂ）、４１（Ｃ）が設けられ、また側方には手差し給紙を行う手差し給紙ユニット４２が設けられていて、それらの何れかから選択された記録紙Ｐは案内ローラ４３によって搬送路４０に沿って給紙され、給紙される記録紙Ｐの傾きと偏りの修正を行うレジストローラ対４４によって記録紙Ｐは一時停止を行ったのち再給紙が行われ、搬送路４０、転写進入ガイド板４６とガイド板金４７に案内され、感光体２１上のトナー像が転写位置Ｂｏにおいて転写器２４によって記録紙Ｐに転写され、次いで分離器２５によって除電されて記録紙Ｐは感光体２１面より分離し、搬送装置４５により定着器５０に搬送される。
【００１９】
定着器５０は定着ローラ５１と加圧ローラ５２とを有しており、記録紙Ｐを定着ローラ５１と加圧ローラ５２との間を通過させることにより、加熱、加圧によってトナーを熔着させる。トナー画像の定着を終えた記録紙Ｐは排紙トレイ６４上に排出される。
【００２０】
以上は記録紙Ｐの片側への画像形成を行う状態を説明したものであるが、本実施の形態の電子写真画像形成装置１は記録紙Ｐの排出前に反転搬送を行い、記録紙Ｐの裏面への画像形成も行い両面転写が行えるようにしてあるが、この両面転写については本発明に直接関係がないので説明を省略する。
【００２１】
次に図２を用いて記録紙位置検出用センサが記録紙Ｐを確実に検出できるように記録紙Ｐを１対の搬送ガイドの一方に吸着するための吸着手段の構成と動作について説明する。４０１は記録紙位置検出用センサであり、ＣＣＤやＣＩＳ等の光電素子アレイによってラインセンサに構成したものである。
【００２２】
記録紙位置検出用センサ４０１は転写進入ガイド板４６に取り付けられ、転写進入ガイド板４６とガイド板金４７はレジストローラ４４により搬送される記録紙Ｐを感光体２１に向けて案内する上下１対の搬送ガイドである。この一対の搬送ガイドのギャップ（記録紙Ｐの厚さ方向の隙間）は、記録紙位置検出用センサの被写界深度よりも狭く、且つ搬送可能な記録紙の厚さよりも広く設定されている。矢印Ｆは記録紙Ｐの搬送方向を示している。
【００２３】
記録紙位置検出用センサ４０１の図中下方には、転写進入ガイド板４６に開口部４６ａが設けられており、この開口部４６ａを通して記録紙Ｐを検出する。なお記録紙位置検出用センサ４０１は記録紙Ｐからの反射光を受光する反射タイプのものを使用しているが、光電素子の発光側を転写進入ガイド板４６に設け受光側をガイド板金４７に設けるタイプのものでも良い。
【００２４】
下側のガイド板金４７の記録紙搬送面には、搬送方向に平行に複数の凸形状のリブ４７ａが形成されており、記録紙Ｐの搬送抵抗を小さくして、記録紙Ｐがクーロン力により吸着された状態でも滑らかに搬送できるようにしている。またガイド板金４７は樹脂などの絶縁部材を介して本体板金に取り付けられ、電気的な抵抗値が本体板金より高くなっており印加電圧が本体側に流れないような構成にしてある。
【００２５】
レジストローラ４４の下ローラ４４ａは高圧電源を備えた第１の電荷印加手段により＋側の電荷が与えられ、下ローラ４４ａを通過した記録紙Ｐは＋側に帯電される。
【００２６】
記録紙位置検出用センサ４０１を取り付けている位置の下方に記録紙Ｐを吸着させる吸着ガイド板４８を設け、吸着ガイド板４８に−極性の電圧を印加する第２の電荷印加手段を設け、＋に帯電された記録紙Ｐはガイド板金４７の記録紙搬送面に設けられた複数のリブ４７ａを通り、吸着ガイド板４８にクーロン力により吸着されながら記録紙位置検出用センサを通過する。
【００２７】
このとき記録紙Ｐの搬送位置が常に一定となって、記録紙位置検出用センサ４０１と搬送される記録紙Ｐとの位置関係を一定の距離に保つことができ、高速で搬送される記録紙でも確実に検出することが可能となる。
【００２８】
−側に帯電された記録紙Ｐは記録紙位置検出用センサ４０１の下流側に設けられた＋の電荷を与えることで除電する除電手段４９により除電され、画像形成部プロセスを行う。
【００２９】
図３は本実施例のシステムブロック図である。
【００３０】
記録紙位置検出用センサ４０１にて計測された位置情報が制御手段ＣＰＵに入力され、制御手段ＣＰＵは高圧電源に対して第１の電荷印加手段と第２の電荷印加手段と除電手段にそれぞれ＋極性又は−極性の高電圧を供給する制御を行う。また位置情報が入力されたとき露光光学系３０のレーザー書き込み開始位置（Ｈ  ＶＡＬＩＤ）を制御する。
【図面の簡単な説明】
【００３１】
【図１】本発明に適用される電子写真画像形成装置の実施の形態の概略構成図。
【図２】記録紙を１対の搬送ガイドの一方に吸着するための吸着手段を示す概略図。
【図３】本実施例のシステムブロック図。
【符号の説明】
【００３２】
２１  感光体
４４  レジストローラ
４４ａ  下ローラ
４６  転写進入ガイド板
４６ａ  開口部
４７  ガイド板金
４７ａ  リブ
４８  吸着ガイド板
４９  除電手段
５０  定着器
４０１  記録紙位置検出用センサ
Ａ  画像読取り部
Ｂ  画像処理部
Ｃ  画像形成部
Ｄ  記録紙搬送部
Ｐ  記録紙
【図１】
2007015830.tif 000003
【図２】
2007015830.tif 000004
【図３】
2007015830.tif 000005